(57)【特許請求の範囲】
【請求項１】
接続端子群を有する表示素子と、
前記接続端子群と電気的に接続される回路基板と、
第一のケース体及び第二のケース体からなり、前記表示素子と前記回路基板を収容するケース部材と、
前記第一，第二のケース体に形成された固定部と前記回路基板に形成された貫通孔に挿通され、前記第二のケース体と前記回路基板とを前記第一のケース体に固定する固定部材と、
を備え、
前記接続端子群は、前記貫通孔を回避するための隙間を有することを特徴とする表示装置。
【発明の詳細な説明】
【技術分野】
【０００１】
本発明は、表示素子を備えた表示装置に関するものである。
【背景技術】
【０００２】
液晶表示素子を備えた液晶表示装置が提案されており、例えば特許文献１に開示されている。斯かる表示装置は、上下ケースの間、外周壁内側にパッキン部材を配置し、均等間隔で螺子締めすることにより、耐振動性や防塵、防水機能に優れている。
【先行技術文献】
【特許文献】
【０００３】
【特許文献１】特開２０１２−１６０５０５号公報
【発明の概要】
【発明が解決しようとする課題】
【０００４】
表示情報の多様化に伴い、表示装置内での表示の広範囲化が望まれている。表示装置の外周壁と液晶表示素子との間隔が狭い場合、外観デザインを変更し、外周壁と液晶表示素子の間隔が広げられる、又は、液晶表示素子の接続端子を回避した位置に螺子が配置され、耐振動性、防塵、防水機能の面で劣るなど、改善の余地があった。
【０００５】
本発明は、表示装置の外周壁と表示素子の間隔が狭い場合であっても、表示装置の外周壁内側に均等間隔で螺子が配置される表示装置を提供するものである。
【課題を解決するための手段】
【０００６】
本発明は、接続端子群１１，１２を有する表示素子１０と、前記接続端子群１１，１２と電気的に接続される回路基板３０と、第一のケース体６１及び第二のケース体６２からなり、前記表示素子１０と前記回路基板３０を収容するケース部材６０と、前記第一，第二のケース体６１，６２に形成された固定部６１ｂ，６２ｂと前記回路基板３０に形成された貫通孔３１に挿通され、前記第二のケース体６２と前記回路基板３０とを前記第一のケース体６１に固定する固定部材Ｓと、を備え、前記接続端子群１１，１２は、前記貫通孔３１を回避するための隙間１３を有することを特徴とする。
【発明の効果】
【０００７】
表示装置の外周壁と表示素子の間隔が狭い場合であっても、表示装置の外周壁内側に均等間隔で螺子が配置され、耐振動性や防塵、防水機能に優れている表示装置を提供できる。
【図面の簡単な説明】
【０００８】
【図１】本発明の一実施形態を示す表示装置１の主要前面図
【図２】図１から上ケースと表示板を取り除いた主要前面図
【図３】図１のＡ−Ａ主要断面図
【図４】図３から螺子Ｓを取り除いた図
【図５】表示装置１のシステム構成を示すブロック図
【発明を実施するための形態】
【０００９】
以下、添付図面を用いて、本発明の一実施形態を説明する。
【００１０】
表示装置１は、第一，第二の液晶表示素子１０，２０と、回路基板３０と、第一，第二の導光体４０，５０と、ケース部材６０と、第一，第二の中ケース７０，８０と表示板９０で主に構成され、二輪車の計器として用いられる。
【００１１】
第一，第二の液晶表示素子１０，２０は、透明電極が形成された一対のガラス基板に液晶を封入した液晶セルの前後両面に偏光板を貼付した液晶パネルからなるものである。回路基板３０は、外部コネクタが実装されており、車両側と電気的に接続される。表示装置１は、外部コネクタ及び回路基板３０上のインタフェース回路３４を介して電源や車両情報に関する信号等を入力し、これらの信号等を制御素子３５を含む表示駆動回路３６，３７、照明駆動回路３８，３９により処理を行い、第一，第二の液晶表示素子１０，２０にて所定の表示を行い、第一，第二の発光素子３２，３３にて所定の照明光を発することができる。
【００１２】
透明樹脂からなる第一の導光体４０は、受光部４１と導光部４２から構成される。第一の中ケース７０は、白色樹脂からなる。第一の中ケース７０の上部には、第一の導光体４０の導光部４２、第一の液晶表示素子１０が順次載置されている。第一の導光体４０は、第一の中ケース７０に固定されている。第一の導光体４０は、第一の発光素子３２が発した照明光を受光部４１により受光し、導光部４２により第一の液晶表示素子１０の背面に導く。第一の導光体４０の背面に導かれた照明光は、第一の中ケース７０により反射され、第一の液晶表示素子１０を透過照明する。
【００１３】
透明樹脂からなる第二の導光体５０は、受光部と導光部から構成される。第二の中ケース８０は、白色樹脂からなる。第二の中ケース８０の上部には、第二の導光体５０の導光部、第二の液晶表示素子２０が順次載置されている。第二の導光体５０は、第二の中ケース８０に固定されている。第二の導光体５０は、第二の発光素子３３が発した照明光を受光部により受光し、導光部により第二の液晶表示素子２０の背面に導く。第二の導光体５０の背面に導かれた照明光は、第二の中ケース８０により反射され、第二の液晶表示素子２０を透過照明する。
【００１４】
ケース部材６０は、上ケース６１と、下ケース６２で構成される。上ケース６１は合成樹脂材を適用することができ、透光性樹脂からなる透光性カバー６１ａがインサート成型される。下ケース６２は、合成樹脂材を適用することができ、表示板９０の組み付け位置を開口し、下ケース６２の内側に第一，第二の液晶表示素子１０，２０、第一，第二の中ケース７０，８０が固定された回路基板３０を保持することができる。
【００１５】
表示板９０は合成樹脂材からなり、第一，第二の液晶表示素子１０，２０に対応する開口部９１，９２を備える。また、指標部を備えていても良い。表示板９０は下ケース６２又は回路基板３０に設けたフックなどの固定手段を用いて保持される。
【００１６】
上ケース６１、下ケース６２、回路基板３０には、表示装置１外周壁内側に左右対象且つほぼ均等間隔となるように、複数の固定部が設けられている。上ケース６１の固定部６１ｂはボス部であり、下ケース６２の固定部６２ｂは貫通孔である。上下ケース６１，６２の内側に設けた溝（下ケースの溝は６２ａ）にはパッキン部材が格納される。上下ケース６１，６２に設けられた複数の固定部６１ｂ，６２ｂは夫々螺子Ｓにより固定され、表示装置１は密閉されている。
【００１７】
第一の液晶表示素子１０は、接続端子群１１，１２を備えている。回路基板３０には、上下ケース６１，６２の固定部６１ｂ，６２ｂに対応する貫通孔３１を備えている。接続端子群１１，１２の間には、上下ケース６１，６２の固定部及び回路基板３０の貫通孔３１に対応する隙間１３が設けられている。
【００１８】
このような構成によって、表示装置の外周壁と表示素子の間隔が狭い場合であっても、表示装置の外周壁内側に均等間隔で螺子を配置できる。
【００１９】
したがって、表示装置の外周壁と表示素子の間隔が狭い場合であっても、耐振動性や防塵、防水機能に優れている表示装置を提供できる。
【００２０】
なお、本発明は、上述した実施形態に限定されるものではなく、種々の変形が可能である。例えば、表示素子は液晶表示素子１０，２０であったが、有機ＥＬ表示素子であってもよい。また、表示素子が第一の液晶表示素子１０のみである構成にも適用できる。また、上ケース６１の固定部６１ｂを貫通孔、下ケース６２の固定部６２ｂをボス部として上ケース側から螺子締めさせる構成にも適用できる。２つ以上の表示素子を隣接配置し、中央付近に配置された貫通孔を避けるように夫々の表示素子の接続端子群を配置する（図２において、液晶表示素子１０が２つの液晶表示素子で構成され、接続端子群１１，１２が夫々の表示素子の接続端子である）構成にも適用できる。
【符号の説明】
【００２１】
１      表示装置
１０    第一の液晶表示素子（表示素子）
１１    接続端子群
１２    接続端子群
１３    隙間
２０    第二の液晶表示素子
３０    回路基板
３１    貫通孔
３２    第一の発光素子
３３    第二の発光素子
３４    インタフェース回路
３５    制御素子
３６    第一の表示駆動回路
３７    第二の表示駆動回路
３８    第一の照明駆動回路
３９    第二の照明駆動回路
４０    第一の導光体
４１    受光部
４２    導光部
５０    第二の導光体
６０    ケース部材
６１    上ケース（第一のケース部材）
６１ａ  透光性カバー
６１ｂ  ボス部（固定部）
６２    下ケース（第二のケース部材）
６２ａ  溝
６２ｂ  貫通孔（固定部）
７０    第一の中ケース
８０    第二の中ケース
９０    表示板
９１    開口部
９２    開口部
Ｓ      螺子（固定部材）
【図１】
0006331887.tif 000002
【図２】
0006331887.tif 000003
【図３】
0006331887.tif 000004
【図４】
0006331887.tif 000005
【図５】
0006331887.tif 000006